(57)【要約】【課題】デッドスペースが縮小された有機電界発光表示装置を提供する。【解決手段】本発明による有機電界発光表示装置は、走査線とデータ線との交差部に位置し、有機発光ダイオードと、前記有機発光ダイオードに流れる駆動電流を制御するための画素回路とを備える複数の画素で構成された画素領域と、前記走査線に走査信号を供給する走査駆動部と、前記データ線にデータ信号を供給するデータ駆動部とを備え、前記走査線は、前記画素領域に実現される画面の縦方向に配列され、前記データ線は、前記画面の横方向に配列され、前記画素により前記画面に表示される映像は横表示されることを特徴とする。【選択図】図４
2011221478.tif 000002
【特許請求の範囲】
【請求項１】
走査線とデータ線との交差部に位置し、有機発光ダイオードと、前記有機発光ダイオードに流れる駆動電流を制御するための画素回路とを備える複数の画素で構成された画素領域と、
前記走査線に走査信号を供給する走査駆動部と、
前記データ線にデータ信号を供給するデータ駆動部とを備え、
前記走査線は、前記画素領域に実現される画面の縦方向に配列され、前記データ線は、前記画面の横方向に配列され、前記画素により前記画面に表示される映像は横表示されることを特徴とする有機電界発光表示装置。
【請求項２】
前記画素の各々において、前記有機発光ダイオードを構成するアノード電極の長軸と、前記画素回路が形成される画素回路領域の長軸とは、互いに交差する方向に配列されることを特徴とする請求項１に記載の有機電界発光表示装置。
【請求項３】
前記有機発光ダイオードと、これに接続される前記画素回路とは、部分的に重なるように配置されることを特徴とする請求項２に記載の有機電界発光表示装置。
【請求項４】
前記画素の各々において、前記有機発光ダイオードを構成するアノード電極は、縦方向が横方向より長くパターニングされ、前記画素回路が形成される画素回路領域は、横方向が縦方向より長く設計されることを特徴とする請求項１に記載の有機電界発光表示装置。
【請求項５】
前記画素各々の発光領域は、前記アノード電極のパターンに対応して縦方向が横方向より長く設計され、複数のデータ線と交差することを特徴とする請求項４に記載の有機電界発光表示装置。
【請求項６】
前記複数の画素は、赤色画素、緑色画素、及び青色画素を含んで構成され、
１つ以上の赤色画素、緑色画素、及び青色画素を含んで構成される単位画素において、前記単位画素の赤色画素、緑色画素、及び青色画素は、前記単位画素が配列される列ラインに配置される走査線に共通に接続されるものの、前記単位画素が配列される行ラインに配置される複数のデータ線のうち、互いに異なるデータ線に接続されることを特徴とする請求項１に記載の有機電界発光表示装置。
【請求項７】
前記画素の各々に備えられる有機発光ダイオードのアノード電極は、２つ以上のデータ線と交差することを特徴とする請求項６に記載の有機電界発光表示装置。
【請求項８】
前記走査駆動部は、前記画素領域の上側または下側に配置されることを特徴とする請求項１に記載の有機電界発光表示装置。
【請求項９】
前記画素領域には、列ライン単位で発光時間を制御するための発光制御線が前記走査線と並んでさらに配列され、
前記画素領域の上側または下側には、前記発光制御線に発光制御信号を供給する発光制御駆動部が配置されることを特徴とする請求項１に記載の有機電界発光表示装置。
【請求項１０】
前記発光制御駆動部は、前記画素領域を介して前記走査駆動部に対向するように配置されることを特徴とする請求項９に記載の有機電界発光表示装置。
【請求項１１】
前記データ駆動部は、前記画素領域の左側または右側に配置されることを特徴とする請求項１に記載の有機電界発光表示装置。
【請求項１２】
前記データ線は、前記画素領域の上側または下側を経由することなく、前記画素領域から、前記画素領域と前記データ駆動部との間の配線領域を経由して直ちに前記データ駆動部に接続されることを特徴とする請求項１１に記載の有機電界発光表示装置。
【請求項１３】
前記走査線及びデータ線と、前記画素回路が形成される画素回路領域は、縦表示型のパネル形態で設計されるものの、前記縦表示型のパネルが横方向に回転した形態で配置され、
前記画素回路領域の上部に位置する前記有機発光ダイオードのアノード電極と、これに対応する発光領域とは、その長軸が前記画素回路領域の長軸方向と直交する方向に回転し、前記画面に映像が横表示されることを特徴とする請求項１に記載の有機電界発光表示装置。
【発明の詳細な説明】
【技術分野】
【０００１】
本発明は、有機電界発光表示装置に関し、特に、デッドスペースが縮小された有機電界発光表示装置に関する。
【背景技術】
【０００２】
近年、陰極線管に比べて、重量が軽く、かつ体積が小さい各種平板表示装置（Flat Panel Display Device）が開発されている。
【０００３】
平板表示装置のうち、特に、有機電界発光表示装置（Organic Light Emitting Display Device）は、自発光素子である有機発光ダイオードを用いて映像を表示する。このため、輝度及び色純度が優れており、次世代表示装置として注目されている。
【０００４】
このような有機電界発光表示装置のパネルは、走査線とデータ線との交差部に位置する複数の画素を備える画素領域と、走査線を介して画素に走査信号を供給する走査駆動部と、データ線を介して画素にデータ信号を供給するデータ駆動部とを備える。
【０００５】
一方、パネルの全体領域のうち、画素領域を除く領域をデッドスペース（dead space）と称するが、一般的に、デッドスペースには、走査駆動部及び／またはデータ駆動部とともに、信号線や電源線などの配線が配置される。
【０００６】
このようなデッドスペースは、パネルの全体領域のうち、画素領域が占める面積の比率を制限してしまうので、デッドスペースを縮小しようとする試みが続いている。
【先行技術文献】
【特許文献】
【０００７】
【特許文献１】韓国登録特許第１０−０８０５５９６号公報
【特許文献２】韓国登録特許第１０−０９３６８８２号公報
【特許文献３】韓国登録特許第１０−０７７６４９８号公報
【発明の概要】
【発明が解決しようとする課題】
【０００８】
そこで、本発明の目的は、デッドスペースが縮小された有機電界発光表示装置を提供することである。
【課題を解決するための手段】
【０００９】
上記の目的を達成するために、本発明は、走査線とデータ線との交差部に位置し、有機発光ダイオードと、前記有機発光ダイオードに流れる駆動電流を制御するための画素回路とを備える複数の画素で構成された画素領域と、前記走査線に走査信号を供給する走査駆動部と、前記データ線にデータ信号を供給するデータ駆動部とを備え、前記走査線は、前記画素領域に実現される画面の縦方向に配列され、前記データ線は、前記画面の横方向に配列され、前記画素により前記画面に表示される映像は横表示されることを特徴とする有機電界発光表示装置を提供する。
【００１０】
このとき、前記画素の各々において、前記有機発光ダイオードを構成するアノード電極の長軸と、前記画素回路が形成される画素回路領域の長軸とは、互いに交差する方向に配列され得る。また、前記有機発光ダイオードと、これに接続される前記画素回路とは、部分的に重なるように配置され得る。
【００１１】
また、前記画素の各々において、前記有機発光ダイオードを構成するアノード電極は、縦方向が横方向より長くパターニングされ、前記画素回路が形成される画素回路領域は、横方向が縦方向より長く設計され得る。ここで、前記画素各々の発光領域は、前記アノード電極のパターンに対応して縦方向が横方向より長く設計され、複数のデータ線と交差可能である。
【００１２】
また、前記複数の画素は、赤色画素、緑色画素、及び青色画素を含んで構成され、１つ以上の赤色画素、緑色画素、及び青色画素を含んで構成される単位画素において、前記単位画素の赤色画素、緑色画素、及び青色画素は、前記単位画素が配列される列ラインに配置される走査線に共通に接続されるものの、前記単位画素が配列される行ラインに配置される複数のデータ線のうち、互いに異なるデータ線に接続され得る。ここで、前記画素の各々に備えられる有機発光ダイオードのアノード電極は、２つ以上のデータ線と交差可能である。
【００１３】
また、前記走査駆動部は、前記画素領域の上側または下側に配置され得る。
【００１４】
また、前記画素領域には、列ライン単位で発光時間を制御するための発光制御線が前記走査線と並んでさらに配列され、前記画素領域の上側または下側には、前記発光制御線に発光制御信号を供給する発光制御駆動部が配置され得る。ここで、前記発光制御駆動部は、前記画素領域を介して前記走査駆動部に対向するように配置され得る。
【００１５】
また、前記データ駆動部は、前記画素領域の左側または右側に配置され得る。ここで、前記データ線は、前記画素領域の上側または下側を経由することなく、前記画素領域から、前記画素領域と前記データ駆動部との間の配線領域を経由して直ちに前記データ駆動部に接続され得る。
【００１６】
また、前記走査線及びデータ線と、前記画素回路が形成される画素回路領域は、縦表示型のパネル形態で設計されるものの、前記縦表示型のパネルが横方向に回転した形態で配置され、前記画素回路領域の上部に位置する前記有機発光ダイオードのアノード電極と、これに対応する発光領域とは、その長軸が前記画素回路領域の長軸方向と直交する方向に回転し、前記画面に映像が横表示され得る。
【発明の効果】
【００１７】
本発明によれば、画面に映像が横表示される横表示型で実現され、かつデッドスペースが効果的に縮小された有機電界発光表示装置を提供することができる。
【図面の簡単な説明】
【００１８】
【図１】有機電界発光表示装置の構成を概略的に示すブロック図である。
【図２ａ】図１に示す有機電界発光表示装置に備えられる画素の実施例を示す回路図である。
【図２ｂ】図１に示す有機電界発光表示装置に備えられる画素の実施例を示す回路図である。
【図２ｃ】図１に示す有機電界発光表示装置に備えられる画素の実施例を示す回路図である。
【図３】図２ａ〜図２ｃに示す画素の要部断面図である。
【図４】本発明の実施例による有機電界発光表示装置のパネルを示す平面図である。
【図５】図４に示す単位画素と、走査線及びデータ線との配置に関する実施例を示す要部拡大図である。
【発明を実施するための形態】
【００１９】
以下、添付図面を参照して本発明の実施例をより詳細に説明する。
【００２０】
図１は、有機電界発光表示装置の構成を概略的に示すブロック図である。また、図２ａ〜図２ｃは、図１に示す有機電界発光表示装置に備えられる画素の実施例を示す回路図であり、図３は、図２ａ〜図２ｃに示す画素の要部断面図である。
【００２１】
まず、図１に示すように、有機電界発光表示装置は、走査駆動部１１０と、発光制御駆動部１２０と、データ駆動部１３０と、これらから供給される走査信号、発光制御信号、及びデータ信号に対応して、映像を表示する複数の画素１５０が備えられた画素領域１４０とを備える。
【００２２】
走査駆動部１１０は、図示しない外部の制御回路、例えば、タイミング制御部などから供給される制御信号に対応して、走査線Ｓ１〜Ｓｎに走査信号を順次供給する。すると、画素１５０は、走査信号により選択され、データ信号を順次受信する。
【００２３】
発光制御駆動部１２０は、タイミング制御部などの外部から供給される制御信号に対応して、発光制御線Ｅ１〜Ｅｎに発光制御信号を順次供給する。すると、画素１５０は、発光制御信号により発光が制御される。すなわち、発光制御信号は、画素１５０の発光時間を制御する。ただし、発光制御駆動部１２０は、画素１５０の内部構成によって省略可能であるが、例えば、後述する図２ａに示す画素を備えた有機電界発光表示装置の場合、発光制御駆動部１２０は省略可能である。
【００２４】
前記走査駆動部１１０及び発光制御駆動部１２０は、チップの形態で別途に実装されてもよいが、画素領域１４０に備えられる画素回路素子とともに、パネル上に内蔵されるように形成され、内蔵回路部を構成することができる。
【００２５】
データ駆動部１３０は、タイミング制御部などの外部から供給される制御信号に対応して、データ線Ｄ１〜Ｄｍにデータ信号を供給する。データ線Ｄ１〜Ｄｍに供給されたデータ信号は、走査信号が供給されるたびに、走査信号により選択された画素１５０に供給される。すると、画素１５０は、データ信号に対応する電圧を充電し、これに対応する輝度で発光する。
【００２６】
画素領域１４０は、走査線Ｓ１〜Ｓｎ、発光制御線Ｅ１〜Ｅｎ、及びデータ線Ｄ１〜Ｄｍの交差部に位置する複数の画素１５０を備える。ここで、各々の画素１５０は、データ信号に対応する駆動電流に相応する輝度で発光する有機発光ダイオード（図示せず）と、前記有機発光ダイオードに流れる駆動電流を制御するための画素回路（図示せず）とを備える。
【００２７】
この画素領域１４０は、外部から高電位画素電源ＥＬＶＤＤ及び低電位画素電源ＥＬＶＳＳを受け、これら高電位画素電源ＥＬＶＤＤ及び低電位画素電源ＥＬＶＳＳは各々の画素１５０に伝達される。すると、画素１５０は、データ信号に対応して、高電位画素電源ＥＬＶＤＤから有機発光ダイオードを経由して低電位画素電源ＥＬＶＳＳに流れる駆動電流に対応する輝度で発光する。
【００２８】
ここで、高電位画素電源ＥＬＶＤＤは、画素１５０の発光期間において、有機発光ダイオードのアノード電極に電気的に接続され、低電位画素電源ＥＬＶＳＳは、有機発光ダイオードのカソード電極に電気的に接続される。
【００２９】
このとき、有機発光ダイオードのアノード電極及びカソード電極のうちのいずれか１つの電極は、画素領域１４０上に全面的に形成され、他の１つの電極は、各々の画素１５０に対応してパターニングされ得る。例えば、アノード電極は、各々の画素１５０領域ごとにパターニングされ、カソード電極は、画素領域１４０上に全面的に形成され得る。
【００３０】
一方、画素１５０の各々は、赤色光を発光する赤色画素、緑色光を発光する緑色画素、または青色光を発光する青色画素に設定され得る。すなわち、画素領域１４０に備えられた複数の画素１５０は、赤色画素、緑色画素、及び青色画素を含んで構成されるが、このうち、隣接して位置するそれぞれ１つ以上の赤色画素、緑色画素、及び青色画素は、単位画素を構成する。これにより、単位画素は、多様なカラーで駆動電流に対応する輝度で発光し、これにより、画素領域１４０に実現される画面にはカラー映像が表示される。
【００３１】
前記画素１５０の各々は、多様な形態で実現できるが、例えば、図２ａに示すように、走査線Ｓｎから供給される走査信号に対応して、データ線Ｄｍからのデータ信号を画素１５０ａの内部に伝達するスイッチングトランジスタＭ１と、前記データ信号を格納するストレージキャパシタＣｓｔと、前記データ信号に対応する駆動電流を有機発光ダイオードＯＬＥＤに供給する駆動トランジスタＭ２とを備えた画素回路１５２ａと、前記駆動電流に対応する輝度で発光する有機発光ダイオードＯＬＥＤとで構成され得る。
【００３２】
また、画素１５０の各々は、図２ｂ及び図２ｃに示すように、駆動トランジスタＭ２の閾値電圧及び／または有機発光ダイオードＯＬＥＤの劣化を補償するための１つ以上のトランジスタ及びキャパシタをさらに備えることもできる。
【００３３】
図２ａ〜図２ｃに示す画素１５０ａ、１５０ｂ、１５０ｃは、既に公知の構成であって、例えば、図２ａ及び図２ｂに示す画素１５０ａ、１５０ｂは、前記特許文献１（韓国登録特許第１０−０８０５５９６号公報）の図１及び図３に開示されており、図２ｃに示す画素１５０ｃは、前記特許文献２（韓国登録特許第１０−０９３６８８２号公報）の図３に開示されている。
【００３４】
ただし、図２ａ〜図２ｃでは、符号の一貫性のために、各々の画素に１５０ａ、１５０ｂ、１５０ｃの符号を付し、各々の画素回路には１５２ａ、１５２ｂ、１５２ｃの符号を付し、図２ｃの補償部には１５４ｃの符号を付しているが、これらの構成及び動作は公知の技術であるため、これらに関する詳細な説明は省略する。
【００３５】
一方、一般的に、画素回路及び有機発光ダイオードは異なるレイヤに配置されるが、例えば、図３に示すように、画素回路が位置するレイヤの上部レイヤに有機発光ダイオードＯＬＥＤが位置することができる。
【００３６】
図３では、画素回路に備えられた構成要素のうち、有機発光ダイオードＯＬＥＤに直接接続された１つのトランジスタＴＦＴのみを示すが、残りのトランジスタやキャパシタなども、前記トランジスタＴＦＴを形成する工程において、同一レイヤに同時に形成可能である。
【００３７】
一方、図３に示す画素１５０の要部断面図も、前記特許文献３（韓国登録特許第１０−０７７６４９８号公報）の図１に開示されているように公知の構成であるため、これに関する詳細な説明は省略する。
【００３８】
ただし、図３において、図面符号は新しい符号を付しており、「２００」は基板、「２１０」はバッファ層、「２２１」は半導体層、「２２２」はゲート電極、「２２３」はソース／ドレイン電極、「２３０」は平坦化層、「２４１」はアノード電極、「２４２」は発光層、「２４３」はカソード電極、「２５０」は画素定義膜である。
【００３９】
このような画素１５０において、画素定義膜２５０により露出したアノード電極２４１上に発光層２４２が積層された領域で光が生成される。すなわち、画素１５０の発光領域は、アノード電極２４１のパターンに対応して設定され得る。
【００４０】
一方、便宜上、本発明では、有機発光ダイオードのアノード電極２４１が各々の画素１５０ごとにパターニングされ、カソード電極２４３が画素領域上に全面的に形成されるものとして説明するが、本発明は必ずしもこれに限定されるものではない。例えば、トランジスタＴＦＴのタイプや画素回路などが変更された場合、有機発光ダイオードのアノード電極２４１が画素領域上に全面的に形成され、カソード電極２４３が各々の画素１５０ごとにパターニングされてもよい。
【００４１】
図１〜図３を参照して説明した有機電界発光表示装置は、画面の表示方向に応じて、通常、横表示型（landscape type）と、縦表示型（portrait type）とに分けられる。横表示型は、画面の横方向の幅が縦方向の高さより大きく設定されて横映像を表示するのに対し、縦表示型は、画面の縦方向の高さが横方向の幅より大きく設定されて縦映像を表示する。
【００４２】
このうち、横表示型は、映画鑑賞などに特に適しており、最近、その需要が急速に増大している。
【００４３】
ただし、横表示型は、通常、パネル内のデッドスペースが大きいという欠点がある。
【００４４】
特に、一般的なパネルの場合、走査線Ｓ１〜Ｓｎの各々が画面の横方向に沿って接続され、データ線Ｄ１〜Ｄｍの各々が画面の縦方向に沿って接続されるため、走査駆動部１１０（及び／または発光制御駆動部１２０）は、画面の左側または右側に配置され、データ駆動部１３０は、画面の上側または下側に配置される。しかし、この場合、横表示型パネルの各走査線Ｓに接続される画素１５０の数が多く、走査駆動部１１０に備えられるバッファ回路のサイズが増大するだけでなく、データ駆動部１３０からファンアウト（fan-out）されるデータ線Ｄ１〜Ｄｍのファンアウト角度が大きく、デッドスペースが大きいという欠点がある。
【００４５】
また、データ駆動部１３０が、パネルの密封領域の外部において画面の左側または右側に配置されてもよい。しかし、この場合は、データ駆動部１３０から引出されたデータ線Ｄ１〜Ｄｍが画面の上側または下側のダミー領域を経由して画素１５０に接続されなければならないため、画面の上下側のデッドスペースが増大する。
【００４６】
特に、走査線Ｓ１〜Ｓｎが、通常、赤色画素、緑色画素、及び青色画素を含む単位画素に共通に接続されるのとは異なり、データ線Ｄ１〜Ｄｍは、赤色画素、緑色画素、及び青色画素に互いに異なるデータ信号を供給するために、各々の赤色画素、緑色画素、及び青色画素ごとに別々に形成されるため、その数が多いことを勘案すると、上下側のデッドスペースが大きいという問題が発生することは明らかである。
【００４７】
また、この場合、データ線Ｄ１〜Ｄｍ間の安定性確保のために、奇数番目のデータ線Ｄ１，Ｄ３，・・・，Ｄｍ−１と、偶数番目のデータ線Ｄ２，Ｄ４，・・・，Ｄｍとを画面の上側または下側に交互にルーチングできるが、このとき、奇数−偶数データチャネル性の縦ライン不良が発生する恐れもある。
【００４８】
したがって、本発明は、横表示型として実現され、かつデッドスペースが縮小されるとともに、奇数−偶数データチャネル性の縦ライン不良が防止された有機電界発光表示装置を提供するものであって、これに関するより詳細な説明は、図４〜図５を参照して後述する。
【００４９】
図４は、本発明の実施例による有機電界発光表示装置のパネルを示す平面図であり、図５は、図４に示す単位画素と、走査線及びデータ線との配置に関する実施例を示す要部拡大図である。
【００５０】
まず、図４に示すように、本発明の実施例による有機電界発光表示装置は、走査線Ｓ及びデータ線Ｄと、画素回路が形成される画素回路領域（図示せず）とが縦表示型のパネル形態で設計され、これらは、前記縦表示型のパネルが横方向に回転した形態で配置される。すなわち、本発明において、走査線Ｓは、画素領域１４０に実現される画面の縦方向に配列され、データ線Ｄは、画面の横方向に配列される。
【００５１】
この場合、走査駆動部１１０は、画素領域１４０の上側または下側に配置される。また、データ駆動部１３０は、画素領域１４０の左側または右側に配置される。例えば、データ駆動部１３０は、上基板１００ａ及び下基板１００ｂによる密封領域の右側に位置するように、下部基板１００ａの非密封領域に配置され得る。
【００５２】
一方、画素領域１４０には、赤色画素１５０Ｒ、緑色画素１５０Ｇ、及び青色画素１５０Ｂを含む単位画素の列ライン単位で発光時間を制御するための発光制御線Ｅがさらに配置され得るが、この発光制御線Ｅは、走査線Ｓと並んで画面の縦方向に配列され得る。
【００５３】
また、この場合、画素領域１４０の上側または下側には、発光制御線Ｅに発光制御信号を供給する発光制御駆動部１２０が配置される。例えば、発光制御駆動部１２０は、画素領域１４０を介して走査駆動部１１０に対向するように配置され得る。ただし、これは単に一例を開示したものであって、本発明はこれに限定されるものではない。例えば、走査駆動部１１０及び発光制御駆動部１２０は、画素領域１４０の同じ側面に統合されて形成されるか、または画素領域１４０の両側ともに走査駆動部１１０及び発光制御駆動部１２０がそれぞれ形成できることはいうまでもない。
【００５４】
ただし、本発明において、有機発光ダイオードのアノード電極及びこれに対応する発光領域（図示せず）は、その長軸が画素回路領域の長軸方向である横方向と交差する縦方向に配置されるように、画素回路領域の方向と直交する方向に回転した形態で配置される。
【００５５】
すなわち、発光領域を基準として画素１５０Ｒ、１５０Ｇ、１５０Ｂの長軸が縦方向に配置される形態で設計され、画素１５０Ｒ、１５０Ｇ、１５０Ｂにより画面に表示される映像は横表示される。
【００５６】
これを図５を参照してより具体的に説明すると、画素１５０Ｒ、１５０Ｇ、１５０Ｂの各々において、有機発光ダイオードを構成するアノード電極２４１Ｒ、２４１Ｇ、２４１Ｂの長軸と、その下の画素回路が形成される画素回路領域１５２Ｒ、１５２Ｇ、１５２Ｂの長軸とは、互いに交差するように配置される。この場合、有機発光ダイオードと、これに接続される画素回路は、部分的にのみ重なるように配置される。
【００５７】
特に、画素１５０Ｒ、１５０Ｇ、１５０Ｂの各々において、アノード電極２４１Ｒ、２４１Ｇ、２４１Ｂは、縦方向が横方向より長くなるように縦方向にパターニングされ、画素回路領域１５２Ｒ、１５２Ｇ、１５２Ｂは、横方向が縦方向より長くなるように横方向に設計され得る。
【００５８】
この場合、画素１５０Ｒ、１５０Ｇ、１５０Ｂ各々の発光領域３５０Ｒ、３５０Ｇ、３５０Ｂは、アノード電極２４１Ｒ、２４１Ｇ、２４１Ｂのパターンに対応して縦方向が横方向より長く設計され、画素１５０Ｒ、１５０Ｇ、１５０Ｂの各々は、発光領域３５０Ｒ、３５０Ｇ、３５０Ｂのパターンに対応する縦パターンとして認識される。
【００５９】
一方、１つ以上の赤色画素１５０Ｒ、緑色画素１５０Ｇ、及び青色画素１５０Ｂを含んで構成される単位画素において、前記単位画素の赤色画素１５０Ｒ、緑色画素１５０Ｇ、及び青色画素１５０Ｂは、単位画素が配列される列ラインに配置される走査線Ｓ（または、走査線Ｓ及び発光制御線Ｅ）に共通に接続されるものの、単位画素が配列される行ラインに配置される複数のデータ線ＤＲ、ＤＧ、ＤＢのうち、互いに異なるデータ線に接続される。すなわち、赤色画素１５０Ｒは赤色データ線ＤＲに接続され、緑色画素１５０Ｇは緑色データ線ＤＧに接続され、青色画素１５０Ｂは青色データ線ＤＢに接続される。
【００６０】
このとき、画素１５０Ｒ、１５０Ｇ、１５０Ｂ各々のアノード電極２４１Ｒ、２４１Ｇ、２４１Ｂと、これに対応する発光領域３５０Ｒ、３５０Ｇ、３５０Ｂとは、複数のデータ線ＤＲ、ＤＧ、ＤＢのうち、２つ以上のデータ線と交差するように重なって配置され得る。
【００６１】
一方、画素１５０Ｒ、１５０Ｇ、１５０Ｂは、その構造によって別の制御線（図示せず）にさらに接続されてもよいが、例えば、図２ｃに示すＣＳｎなどにさらに接続され得る。この場合、制御線は、図５の赤色画素の発光領域３５０Ｒと緑色画素の発光領域３５０Ｇとの間に縦方向に配置され、前記単位画素内の赤色画素１５０Ｒ、緑色画素１５０Ｇ、及び青色画素１５０Ｂに共通に接続され得る。
【００６２】
また、便宜上、図５には示していないが、各々の画素１５０Ｒ、１５０Ｇ、１５０Ｂごとに、画素回路領域１５２Ｒ、１５２Ｇ、１５２Ｂに形成された画素回路と、有機発光ダイオードのアノード電極２４１Ｒ、２４１Ｇ、２４１Ｂとは、接続配線を介して接続され得、前記接続配線には、画素回路に備えられたトランジスタのソース／ドレイン電極の形成に用いられるソース／ドレインメタル、あるいはアノード電極２４１Ｒ、２４１Ｇ、２４１Ｂの形成に用いられるアノードメタルなどが使用可能であり、これは、設計空間などを考慮して変更実施が可能である。
【００６３】
前述した本発明によれば、画面に映像が横表示される横表示型で実現され、かつデッドスペースが効果的に縮小された有機電界発光表示装置を提供することができる。
【００６４】
より具体的には、データ線Ｄが、画素領域１４０の上側または下側を経由することなく、画素領域１４０から、画素領域１４０とデータ駆動部１３０との間の配線領域（ファンアウト領域）を経由して直ちにデータ駆動部１３０に接続できるため、配線によるデッドスペースが縮小されるとともに、奇数−偶数データチャネル性の縦ライン不良が防止される。ただし、これは、画素領域１４０とデータ駆動部１３０との間に他の駆動素子が接続されない場合を仮定して説明したものであり、データ分配部などを全てデータ駆動部１３０と統合して包括的に説明したことを明示する。
【００６５】
また、走査線Ｓ及びデータ線Ｄなどの配線と画素回路は、縦表示型有機電界発光表示装置のパネルと同一に設計できるため、各々の走査線Ｓには、画面の短軸方向に配置された数だけの画素１５０が接続される。このため、バッファ回路のサイズを増大することなく、デッドスペースを縮小するのに有利であり、データ線Ｄの場合には、画面の短軸方向に配置される画素１５０の数だけ備えられるため、一般的な横表示型に比べてそのチャネル数が減少し、データ駆動部１３０の大きさを縮小することができる。また、この場合、従来の縦表示型の駆動回路チップ（データ駆動部などを内蔵した駆動ＩＣ）をそのまま使用することができるため、駆動回路チップの共用化が可能という利点がある。
【符号の説明】
【００６６】
１１０  走査駆動部
１２０  発光制御駆動部
１３０  データ駆動部
１４０  画素領域
１５０  画素
２００  基板
２１０  バッファ層
２２１  半導体層
２２２  ゲート電極
２２３  ソース／ドレイン電極
２３０  平坦化層
２４１  アノード電極
２４２  発光層
２４３  カソード電極
２５０  画素定義膜
【図１】
2011221478.tif 000003
【図２ａ】
2011221478.tif 000004
【図２ｂ】
2011221478.tif 000005
【図２ｃ】
2011221478.tif 000006
【図３】
2011221478.tif 000007
【図４】
2011221478.tif 000008
【図５】
2011221478.tif 000009